【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを管理する方法であって、
（ａ）管理装置の表示部に、前記ゲートウェイ装置のシンボル，前記第１の装置のシンボル，および前記第２の装置のシンボルを含む接続構成マップであって、前記ゲートウェイ装置，前記第１の装置，前記第２の装置の間の接続態様に合致するように前記各シンボルが互いに接続され、前記第１の装置のシンボルが前記第２の装置のシンボルに比べて前記ゲートウェイ装置のシンボルにより近い位置に配置され、前記ゲートウェイ装置，前記第１の装置，および前記第２の装置がそれぞれ有する接続インタフェースが判別できる接続構成マップを表示させる工程を備える、方法。
【請求項２】
請求項１に記載の方法において、さらに、
（ｂ）前記ゲートウェイ装置，前記第１の装置，および前記第２の装置がそれぞれ有する構成情報であって、装置種別を示す情報と、接続インタフェースの種別を示す情報と、装置を特定するための装置特定情報と、を含む構成情報を取得する工程を備え、
前記工程（ａ）は、前記表示部に、前記装置特定情報および前記装置種別のうち少なくとも一方が各シンボルに対応付けて示された前記接続構成マップを表示させる工程である、方法。
【請求項３】
請求項１または請求項２に記載の方法において、
前記工程（ａ）は、前記システムが前記第１の装置を複数有する場合、各第１の装置のシンボルが前記ゲートウェイ装置のシンボルを起点として所定の順序で所定の方向に並べて示された前記接続構成マップを表示させる工程である、方法。
【請求項４】
請求項３に記載の方法において、
前記工程（ａ）は、各第１の装置に接続された前記第２の装置のシンボルが前記所定の方向に並べて示されることにより、前記ゲートウェイ装置のシンボルと、各第１の装置のシンボルと、各第２の装置のシンボルとが階層化して示された前記接続構成マップを表示させる工程である、方法。
【請求項５】
請求項３または請求項４に記載の方法において、
前記工程（ａ）は、前記複数の第１の装置のシンボルのうち、前記ゲートウェイ装置との間の前記接続インタフェースの種別が同じ前記第１の装置のシンボル同士がまとめて前記所定の方向に並べて示された前記接続構成マップを表示させる工程である、方法。
【請求項６】
請求項３ないし請求項５のいずれかに記載の方法において、
前記表示部における表示領域は、長手方向と短手方向とを有し、
前記所定の方向は、前記長手方向に沿った方向である、方法。
【請求項７】
請求項１ないし請求項５のいずれかに記載の方法において、さらに、
（ｂ）前記ゲートウェイ装置，前記第１の装置，および前記第２の装置がそれぞれ有する構成情報であって、装置種別を示す情報と、接続インタフェースの種別を示す情報と、装置を特定するための装置特定情報と、を含む構成情報を取得する工程を備え、
前記工程（ｂ）は、動作状態に関する情報である状態関連情報を含む前記構成情報を取得する工程であり、
前記工程（ａ）は、前記表示部に、前記ゲートウェイ装置のシンボル，前記第１の装置のシンボル，および前記第２の装置のシンボルにそれぞれ対応付けて前記状態関連情報が示された前記接続構成マップを表示させる工程である、方法。
【請求項８】
請求項７に記載の方法において、
前記工程（ａ）は、前記表示部に、前記状態関連情報の示す動作状態に応じて、各シンボルの表示態様及び各シンボル間の接続の表示態様のうち、少なくとも一方を変化させる工程を含む、方法。
【請求項９】
請求項１ないし請求項８のいずれかに記載の方法において、
前記第１の装置と前記第２の装置との間の接続インタフェースは、ネットワークインタフェース又はバスインタフェースである、方法。
【請求項１０】
請求項１ないし請求項９のいずれかに記載の方法において、さらに、
（ｂ）前記ゲートウェイ装置，前記第１の装置，および前記第２の装置がそれぞれ有する構成情報であって、装置種別を示す情報と、接続インタフェースの種別を示す情報と、装置を特定するための装置特定情報と、を含む構成情報を取得する工程を備え、
前記工程（ａ）は、
前記システムが前記第１の装置を複数有する場合、前記表示部に、前記構成情報が取得されたすべての装置のシンボルが前記ゲートウェイ装置を起点として前記所定の方向に並べて示された前記接続構成マップを表示させる工程と、
前記表示部に、表示されたすべてのシンボルのうち、前記第２の装置のシンボルが該第２の装置が接続されている前記第１の装置のシンボルに接続されるとともに、各第１の装置と前記第２の装置との間の前記接続インタフェースが判別可能に示された前記接続構成マップを表示させる工程と、
前記表示部に、各第１の装置のシンボルおよび前記第２の装置のシンボルの接続関係を保ったまま、前記ゲートウェイ装置との間の前記接続インタフェースが無線である前記第１の装置のシンボルが、前記ゲートウェイ装置との間の前記接続インタフェースが有線である前記第１の装置のシンボルに比べて、前記ゲートウェイ装置のシンボルに対して前記所定の方向に沿ってより近い位置となる順序に、各第１の装置のシンボルが並び替えられて示された前記接続構成マップを表示させる工程と、
を有する、方法。
【請求項１１】
請求項１から請求項１０までのいずれか一項に記載の方法において、
前記ゲートウェイ装置は、無線ＬＡＮアクセスポイントとして構成されている、方法。
【請求項１２】
ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを管理するためのプログラムであって、
（ａ）管理装置の表示部に、前記ゲートウェイ装置のシンボル，前記第１の装置のシンボル，および前記第２の装置のシンボルを含む接続構成マップであって、前記ゲートウェイ装置，前記第１の装置，前記第２の装置の間の接続態様に合致するように前記各シンボルが互いに接続され、前記第１の装置のシンボルが前記第２の装置のシンボルに比べて前記ゲートウェイ装置のシンボルにより近い位置に配置され、前記ゲートウェイ装置，前記第１の装置，および前記第２の装置がそれぞれ有する接続インタフェースが判別できる接続構成マップを表示させる機能を、前記管理装置が有するコンピュータに実現させるためのプログラム。
【請求項１３】
請求項１２に記載のプログラムを記録したコンピュータ読み取り可能な記録媒体。
【手続補正２】
【補正対象書類名】明細書
【補正対象項目名】０００８
【補正方法】変更
【補正の内容】
【０００８】
本発明は、上述の課題の少なくとも一部を解決するためになされたものであり、以下の形態又は適用例として実現することが可能である。
[形態１]  ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを管理する方法であって、
（ａ）管理装置の表示部に、前記ゲートウェイ装置のシンボル，前記第１の装置のシンボル，および前記第２の装置のシンボルを含む接続構成マップであって、前記ゲートウェイ装置，前記第１の装置，前記第２の装置の間の接続態様に合致するように前記各シンボルが互いに接続され、前記第１の装置のシンボルが前記第２の装置のシンボルに比べて前記ゲートウェイ装置のシンボルにより近い位置に配置され、前記ゲートウェイ装置，前記第１の装置，および前記第２の装置がそれぞれ有する接続インタフェースが判別できる接続構成マップを表示させる工程を備える、方法。
【手続補正３】
【補正対象書類名】明細書
【補正対象項目名】００１３
【補正方法】変更
【補正の内容】
【００１３】
［適用例３］適用例１または適用例２に記載の方法において、
前記システムは前記第１の装置を複数有し、
前記工程（ａ）において、各第１の装置のシンボルを、前記ゲートウェイ装置のシンボルを起点として所定の順序で所定の方向に並べて表示する、方法。
【手続補正４】
【補正対象書類名】明細書
【補正対象項目名】００５７
【補正方法】変更
【補正の内容】
【００５７】
ＥＥＰＲＯＭ１２２は、構成情報格納部Ｓ１と、配下装置リスト格納部Ｓ２とを備えている。構成情報格納部Ｓ１は、自らの構成情報に加えて、他の装置から取得した構成情報を格納する。自らの構成情報としては、例えば、ルータとしての装置名、内蔵するハードディスク１２６の残容量、無線ＬＡＮにより接続された各装置からの受信信号強度、ルータ１００が有する各インタフェース種別（無線ＬＡＮ，有線ＬＡＮ，ＷＨＤＩ，ＵＳＢ）、各回路の動作状態（通常動作，無線接続中など）、無線ＬＡＮのアソシエーションリストなどが挙げられる。これらの各情報は、ルータ１００の起動時やＵＳＢデバイスが接続された際に、各インタフェースで規定されている初期化シーケンス（例えば、ＵＳＢのエニュメレーション）において取得され得る。また、これらの各情報は、後述の構成情報収集処理においても取得される。配下装置リスト格納部Ｓ２は、後述する配下装置リストを格納する。
【手続補正５】
【補正対象書類名】明細書
【補正対象項目名】００６８
【補正方法】変更
【補正の内容】
【００６８】
メモリ３１は、図示しないＲＡＭやＥＥＰＲＯＭから成り、構成情報格納部３２を備えている。構成情報格納部３２は、デバイスサーバ３３１自身の構成情報及びデバイスサーバ３３１に接続されている装置についての構成情報を格納する。図４の例では、構成情報格納部３２には、デバイスサーバ３３１自身の構成情報の一部として、装置種別「デバイスサーバ」，装置名「ＤＳ」，ＭＡＣアドレス「ＭＡ５」，ＩＰアドレス「ＩＰ５」，動作状態「使用中」が格納されている。また、構成情報格納部３２には、デバイスサーバ３３１に接続されているテレビチューナ３４１についての構成情報（装置種別「テレビチューナ」，装置名「Ｔ２」，接続インタフェース種別「ＵＳＢ２．０」）が格納されている。
【手続補正６】
【補正対象書類名】明細書
【補正対象項目名】００８８
【補正方法】変更
【補正の内容】
【００８８】
このように、本実施例では、すべての配下装置がさらなる配下装置であって構成情報が未収集である配下装置を有しなくなるまで、ステップＳ１１０，Ｓ１１５の処理が繰り返し実行されることとなる。ここで、パーソナルコンピュータ３１１は、無線ＬＡＮアクセスポイント３０４の配下装置であると共に、マウス３１３を配下装置として有する装置でもある。したがって、無線ＬＡＮアクセスポイント３０４とパーソナルコンピュータ３１１との組み合わせ（ペア）では、無線ＬＡＮアクセスポイント３０４が請求項における第１の装置に、パーソナルコンピュータ３１１が請求項における第２の装置（前回の第２の装置）に、それぞれ相当し、パーソナルコンピュータ３１１とマウス３１３とのペアでは、パーソナルコンピュータ３１１は請求項における第１の装置（今回の第１の装置）に、マウス３１３は請求項における第２の装置（今回の第２の装置）に、それぞれ相当する。このような２つの装置のペアリングが順次スライドすることによって前回の第２の装置が次回の第１の装置となる処理は、各請求項における射程範囲に含まれる。また、ステップＳ１０５及びＳ２２０と、ステップＳ１１５及びＳ３２０とは、請求項における第１の処理に相当する。ステップＳ１１５及びＳ３２０を実行して得られた配下装置リストに記載されている配下装置に対し、ステップＳ１１５を実行し、ステップＳ３２０において構成情報を取得する処理は、請求項における第２の処理に相当する。
【手続補正７】
【補正対象書類名】明細書
【補正対象項目名】００９０
【補正方法】変更
【補正の内容】
【００９０】
図５に示すように、ステップＳ１１０において、構成情報が未収集である配下装置が配下装置リスト中にない場合には（ステップＳ１１０：ＮＯ）、管理用ＰＣ３０３のマップ生成部１１ｂは、マップ作成処理を実行し、既に受信しているルータ１００の構成情報及び配下装置リストに基づき、システム構成マップを作成する（ステップＳ１２０）。管理用ＰＣ３０３において、ユーザインタフェース制御部１１ｃは、ステップＳ１２０において作成されたシステム構成マップを、ディスプレイ２１に表示する（ステップＳ１２５）。
【手続補正８】
【補正対象書類名】明細書
【補正対象項目名】０１０４
【補正方法】変更
【補正の内容】
【０１０４】
図１１は、図９に示すステップＳ９１５，Ｓ９２０の処理後のシステム構成マップを示す説明図である。図１１において、左側は、ステップＳ９１５実行後のシステム構成マップを示し、右側は、ステップＳ９２０実行後のシステム構成マップを示す。なお、図１１左側は、図１０右側と同じである。図１１右側に示すように、ステップＳ９２０実行後には、各装置間を接続するラインが接続インタフェースごとに異なる線種として表わされている。
【手続補正９】
【補正対象書類名】明細書
【補正対象項目名】０１０６
【補正方法】変更
【補正の内容】
【０１０６】
図１２は、図９に示すステップＳ９２０，Ｓ９２５の処理後のシステム構成マップを示す説明図である。図１２において、左側は、ステップＳ９２０実行後のシステム構成マップを示し、右側は、ステップＳ９２５実行後のシステム構成マップを示す。なお、図１２右側は、図１１左側と同じである。また、図１２右側は、図８に示すシステム構成マップｍ１の接続態様表示領域ＡＲ１の表示内容と一致している。図１２左側（図１１右側）に示すように、ステップＳ９２０実行後には、ルータ１００との接続インタフェースが異なる装置同士が隣り合って配置されているが、ステップＳ９２５実行後には、ルータ１００との接続インタフェースごとに、まとめられ配置されている。
ステップＳ９２５の実行後、マップ生成部１１ｂは、システム５００を構成する各装置の動作状態を示す情報を、動作状態表示領域ＡＲ２中であって、接続態様表示領域ＡＲ１に表示された各装置を表すシンボルに対応する位置に、表示する。「各装置を表すシンボルに対応する位置」とは、具体的には、接続態様表示領域ＡＲ１に表示された各装置のシンボルの横、すなわち水平方向に並ぶ位置である（ステップＳ９３０）。
【手続補正１０】
【補正対象書類名】明細書
【補正対象項目名】０１０７
【補正方法】変更
【補正の内容】
【０１０７】
以上説明したように、システム５００において、管理用ＰＣ３０３は、ルータ１００に直接接続されていない装置（例えば、テレビチューナ３４１）の構成情報を、かかる装置及びルータ１００に直接接続されている装置（例えば、デバイスサーバ３３１）を介して間接的に取得するようにしているので、ルータ１００に直接接続するためのインタフェースに限らず、様々なインタフェースで接続された複数の装置を容易に管理することができる。また、管理用ＰＣ３０３により各装置を一元的に管理することができるので、各接続インタフェース種別ごとに管理装置（管理用ソフトウェア）を用意することを要しない。したがって、システム５００の構築費用を抑えることができると共に、ユーザは、複数の管理装置（管理用ソフトウェア）の使用方法を覚えなくて済むため、家庭や小規模の企業などに容易に導入することができる。
【手続補正１１】
【補正対象書類名】明細書
【補正対象項目名】発明の名称
【補正方法】変更
【補正の内容】
【発明の名称】システムを管理する方法、プログラムおよび記録媒体
【手続補正１２】
【補正対象書類名】図面
【補正対象項目名】図５
【補正方法】変更
【補正の内容】
【図５】
2012221184.tif 000001
【手続補正１３】
【補正対象書類名】図面
【補正対象項目名】図８
【補正方法】変更
【補正の内容】
【図８】
2012221184.tif 000002
【手続補正１４】
【補正対象書類名】図面
【補正対象項目名】図２２
【補正方法】変更
【補正の内容】
【図２２】
2012221184.tif 000003